(57)【要約】      （修正有）【課題】優れる、共通サービス型オフィス・システムにカウンターにカウンターを介在から見えない箇所（隠蔽）に肢体不自由者を支える歩行補助杖に対応の仕方を提供する。【解決手段】見えない箇所ある区画本体１内側の執務者２には、カウンター４を介在し離れた裏壁側８に何ら支障ない応対に生じる死角度１１に、裏壁側８に浮きだしたパイプに歩行補助杖９の握り締める部分２２英字Ｔ形を掛けさせる形成を施す、肢体不自由者を支える歩行補助杖に対応作用は杖形状から先端重量に因子に自然体に壁へ仕掛けかれる。【選択図】図５
2006247333.tif 000002
【特許請求の範囲】
【請求項１】
オフィス・システムの所要カウンター内側の執務者に見えない場所において、カウンター裏壁側を左右方向ほぼ全幅にわたり、左右に所定間隔の両端とに、任意位置とに、任意高さを定めに、前記位置に浮かし止め器具を設けに、前記両端の間に関連づけられ角棒状、パイプ、長い平板、波形状を任意形状させ固定を有しに配備の装設しに、前記該カウンター表壁側はに、一方から直視でるように設けに、該浮かし止めパイプに外装に、杖の握締め部分を少なくとも２本以上が係脱自在に掛ける下げるに、対応がなされる見えない場所を特徴とする歩行補助杖のカウンター装置。
【発明の詳細な説明】
【発明の詳細な説明】
【技術分野】
【０００１】  本発明は、執務者がカウンター内側から見えない箇所に、肢体不自由者を支える歩行補助杖に、対応を特徴の共通サービス型オフィス・システムの歩行補助杖のカウンター装置に関するものである。
【背景技術と問題点】
【０００２】  この説明に先立ち、先に、共通サービス型オフィス・システム別区画のカウンターに関して、この種の区画内において、常に、複数の執務者の視界範囲に、特に、肢体不自由者と歩行補助杖の共通性を処理対応にカウンター一体化構造に、技術の先行特許文献、公的刊行物、一般刊行物を含めた、技術ニーズ、人的シリズのカテゴリー引用文献を求められ得れなかつた。
【０００３】  さて、共通サービス型オフィス・システムは周囲い込む障壁境の区画内側に、複数の執務者が自然体な姿勢から行動を行う（以下  執務者と称す）、人ひとの複数対応をカウンターから、先ず、応答か、当人から近寄り対応に肢体不自由者や健常者は同一な行動（後述べる）ではない。従来に、例に市・病院、福祉機関や私的機関、公的機関などなどカウンターに、当業者は健常者を自然な接近対応の構成は、肢体不自由者に対応を欠くと云う問題点があつた。
【０００４】  そして、肢体不自由者を支える歩行補助杖は個々体に長さ寸法「かがと」から腰骨に迄を棒状の長さに／握り形状（グリップ）を手型を基本に略Γロシヤ文字形（を示す図４参照）形状を異なる。
【０００５】  次に、先の歩行補助杖を手離の処置仕方を区画の横長カウンター裏は垂直な壁側に死角度に、傾き立て掛けるは滑る床面に転倒に思い悩む、他の仕方に、両足に歩行補助杖を一時挟み留め両手を使う、かつ、当人が片手が不自由は更に困惑する、更に、降水時、介添者を伴ない肢体不自由者はなにもできない、このカウンター（図６参照）には、杖、日傘などには対応の迅速化に利便性、福祉に不合理があつた。
【発明の目的】
【０００６】  そこで、本発明の目的は区画本体内側の執務者側は裏壁側に対処を健常者の自然な接近の視界対応を形成されている、けれど、肢体不自由者と歩行補助杖の改善策を提供することにある。
【０００７】
【非特許文献】
建設省  生活福祉空間づくり大綱領  １９９４
障害者基本法
高齢者・障害者に配慮した建築物整備促進法（ハートビル法）  １９９４
東京都福祉のまちづくしり条例施設整備マニュアル    平成１４年７月
横浜市福祉のまちづくしり条例施設整備マニュアル    １９９３、３
大阪府福祉のまちづくしり条例施設整備マニュアル    １９９３、３
名古屋福祉都市環境整備指針〜人にやさしいまち名古屋をめざして
平成１５年２月
高齢化社会と商品開発  日本規格協会                １９９４，４  Ｐ８８
障害者の生活環境改善手法  日本障害者協議会        １９９５，７，Ｐ２８
肢体不自由者偏に係う歩行補助杖  日本規格協会      １９９７、３
【発明の開示】
【発明が解決しようとする課題】
【０００８】  本発明は、区画本体の内側に居る執務者姿勢に視界の死角度に利用に、肢体不自由者と歩行補助杖に気配りをしなければならない問題点あつた、そのために、専用区画の設置はコストが高く経済的ではない。本発明はこのような共通サービス型オフィスシステム事情に鑑みなされたもので、歩行補助杖のカウンター装置を提供することにある。
【課題を解決するための手段】
【０００９】上記問題点を解決するための本発明は区画本体形設に於いて、オフィス・システムの所要カウンター内側の執務者に見えない場所において、カウンター裏壁側を左右方向ほぼ全幅にわたり、左右に所定間隔の両端とに、任意位置とに、任意高さを定めに、前記位置に浮かし止め器具を設けに、前記両端の間に関連づけられ角棒状、パイプ、長い平板、波形状を任意形状させ固定を有しに配備の装設しに、前記該カウンター表壁側はに、一方から直視でるように設けに、該浮かし止めパイプに外装に、杖の握締め部分を少なくとも２本以上が係脱自在に掛ける下げるに、対応がなされる見えない場所を特徴とする歩行補助杖のカウンター装置。
【発明の効果】
【００１０】  以上のように、この本発明によれば、執務者の職務遂行に何ら支障ない区画本体と一体化形設計に、接近した肢体不自由者は歩行補助杖の握り部分を直接に着脱を簡易に行為に従来の苦痛を解決し、従来、入り口に置いた杖・雨傘立て兼用箱は不要にした、視界外にバリアフリーを示す効果に、かつ、専用に比して低価値な経済性を奏する。次に、既存や新規の規模を問わず工法大小に、ワンタッチ操作を施すことが出来る。本発明の意図と範囲から外れることなく解決しようとする課題点を解決した。
【発明の実施するための最良の形態】
【０００６】以下、添付図に基ずいて、本発明の方法の具体例を示す。それから、実施例する説明に同一部分には同一符号を付して、視界／視差の眺めに変わるところが少ない箇所に説明は省略する。また、視界に向くか違いに符号を付し同じなので説明は省略する。
【発明の構成】
【０００７】１は区画本体に、２は執務者、３は受付者、４は１の境に対応に横方向に長いのカウンター（略カウンターと称す）、５は事務用机か天板付き引き出し机（以下  事務用机と称す）、６は肢体不自由者、７はカウンター表壁側、８はカウンター裏壁側、９は歩行補助杖、１０は床面、１１は死角度（隠蔽部以下  死角度と称す）、１２と１３は壁穴、１４と１５取付け位置、１６は浮かしパイプ、１７は止め金板、１８は止めネジ、１９は紐輪、２０は掛け輪、２１は止め板付浮かしパイプ、２２は握る部分、２３は波状ゴム板、２４視界→←↑↓、２５中間止め金具、により達成された。
【０００８】  本発明に用いられる歩行補助杖のカウンター装置を図１乃至図６に基ずき説明する。図１（ａ）は、オフィスのシステム所要形状（公知に図示せず）に設けた、例えば、例として支払い部門の概略区画本体１を隔壁の境に施す仕方の横方向に長く幅の略カウンターの一部縦断面図を示す、運用に立つ姿勢の執務者２は略カウンター表壁側７を介在しカウンター裏壁側８（略垂直）場所に肢体不自由者６の対応する両方視界２４（図中の点線に目線）は死角度を矢印に生じ態様に、形成関連に（ｂ）図を視界の向と受付者３は着席し事務用机５に接した略カウンター４は机面より一段の高さ、巾／横長く方向に外側に突き出る略カウンター裏面側８に、受付者３の視界の形成に死角度を表す、この視界の向く方向違いに符号視界→←→２４（以下  図中に目線を点線に、死角度を矢印の説明を省略）を付し仮想視線に死角度１１の態様形成を示す。
【０００９】  図２に発明に係る略カウンター４外側に突き出る裏部分は死角度に略分解組み立て斜視図を示す、構成を左右方向ほぼ全幅にわたり、左右に所定間隔の両端に、床面１０からの、高さを定め、位置には壁穴１２と１３を設け止め金板付浮かし金具１６、１７に、取付け止めネジ１８と１９に固定している、（他に、接着剤も可能図示せず）パイプ１６に棒状と歩行補助杖９（主した市販品を示し詳細は省略）。
【００１０】  次に、カウンター様式は多種多様の態様にする図３は、図２の本発明の裏壁側に取付け固定する「浮かし金具とパイプ」の例示を示した図である。▲１▼は両端の止め金板付き浮かし金具に、取付けるパイプの任意中間点に入れ、略カウンター４の外側に突き出る部分長い裏側（死角度が大きい）に吊り下げに、両端を裏壁側８に２箇所、長い裏壁側１箇所を点線矢印の方向に取付け方法を示す（以下形状詳細を省略する）。▲２▼は略カウンター４外側に突き出る部分に死角度態様に、「平面板を付き浮かし金具」をパイプ類を素材木材に置き替え、表面を図４表面に凹凸縦波状ゴム板２３を平面に接着剤で張り合わす、また、金板表面を接着剤付き滑り止め布地を張り付ける方法に互換性を確保するを示す。▲３▼は平面板を付き浮かし金具に金属パイプ類管を素材に熔接造りに浮かし金具一体構造を示す、▲４▼は▲１▼▲２▼▲３▼を変形態様して、任意輪状態に掛けるように「取付け金板」１箇所に点線矢印の方向に固定を示す（以下  形状詳細を省略する）。▲５▼は略カウンター４の外壁側に突き出る狭い部分（死角度）状態に裏に吊り下げる状態に応じる仕方を示す、かつ、略カウンター４の外壁側が垂直状態に略直角に向き合う状態に、点線矢印の向き固定を示す（以下横形状詳細を省略する）。▲６▼はカウンター様式に死角度の対応に実施例を示す、棒状を浮しかパイプは（素材を金属か非金属か合成樹脂など）合成樹脂管に、浮かし出しす手段に合成樹脂成型に、かつ、同じ形状を間隔の中間位置に一個（任意個数）入れ、形成を死角度に点線矢印の方向に取付けを示す。該「浮かし仕方」角度調整機能用（視界に本発明範囲に作用の関与外に実施説明の省略）。
【００１１】図４は本発明の破損に互換手段に表面波状ゴム板２３に示すよう既存の施設に色とサイズ適合から選択可能から任意パイプ・ポール歩行補助杖９を吊す下げ・掛けるに、特徴を表面形状を縦か横凹凸波状、滑り防止布地になされるように形状▲１▼▲２▼▲３▼▲４▼▲５▼▲６▼これのみ限定されるものではない。
【００１２】  図５は、略カウンター４を介在して、立姿勢の異なる執務者２、受付者３の視界；視野；視差が異なりは、略カウンター表壁側７から手の届かない場所を矢印に死角度１１の解消に不可能を現すを図に示す、けれど、略カウンター裏壁側８の死角度１１に、肢体不自由者６の直視する場所に固定した浮かしパイプ１６に歩行補助杖９の態様を（ａ）は「掛ける」（ｂ）は「吊り下げる」本発明は形設を意味を示し、略斜視図縦断面図に仮想視線の略人形図概略対応の説明図を示す。
図６は（ｃ）と（ａ）の死角度は略同一に現すが、異なる略カウンター４と事務用机５変形に向かい着席姿勢の受付者３の手の届かない場所の死角度１１に対応する類似▲１▼▲２▼▲３▼▲４▼▲５▼▲６▼任意止め金板付き浮かし金具２１に浮かしパイプ１６に、例えば、例に▲５▼任意止め金板付き浮かし金具２１に浮かしパイプ１６に中間止め金具２５に握る部分２２を掛けた対応の現す。
【図面の簡単な説明】
【００１３】
【図１】の（ａ）は執務者立つ姿勢と下肢障害者側からカウンター介した視界相関に、（ｂ）受付者が着席の仮想視界から死角度に視界方向性の視線説明図を示す。
【図２】は、本発明に係る供通サービス型のオフィス擁護システム・カンターに適用した場合を示す分解組み立て斜視図
【図３】は類似止め金板付き浮かし金具に任意パイプ
【図４】は波形ゴム板図
【図５】カンウターを介した、執務者立つ姿勢と下肢障害者位置に対応がなされる、その仮想視界と仮想の略死角角度の視線図を略一部縦断図面する視線説明図
【図６】は、執務者側と略カンター介在した死角度に施す仮想視界の天板付き引き出し机を略障壁縦断面図に人的な対応がなされる、浮かし金具パイプに掛ける歩行補助杖した施す略死角度の説明図
【符号の説明】
２…複数の執務者
４…カウンター
６…肢体不自由者、
９…歩行補助杖、
１１…死角度隠蔽、
１７…止め金板付き浮かし金具
２３…類似任意止め金板付き浮かし金具
２５…任意視界→←↑↓→（図中目線矢印）
【図１】
2006247333.tif 000003
【図２】
2006247333.tif 000004
【図３】
2006247333.tif 000005
【図４】
2006247333.tif 000006
【図５】
2006247333.tif 000007
【図６】
2006247333.tif 000008